(57)【要約】【課題】  画像読取装置の起動中に原稿のサイズを判別できなくても、画像読取装置の起動後に、容易に原稿のサイズを判別すること。【解決手段】  第１の電力状態と、当該第１の電力状態より消費電力が小さい第２の電力状態を有する画像読取装置であって、原稿台に原稿を載置するために開閉される原稿カバーと、前記原稿カバーの開閉操作に従って前記原稿台に載置された原稿のサイズを判別する判別手段と、前記画像読取装置を前記第２の電力状態から前記第１の電力状態に移行させる電力制御手段と、前記電力制御手段によって前記画像読取装置が前記第２の電力状態から前記第１の電力状態に移行された後、前記原稿台に載置された原稿のサイズが前記判別手段によって判別されていない場合に、前記原稿カバーの開閉操作を行うよう促す通知手段とを有することを特徴とする。【選択図】  図８
2015015535.tif 000002
【特許請求の範囲】
【請求項１】
第１の電力状態と、当該第１の電力状態より消費電力が小さい第２の電力状態を有する画像読取装置であって、
原稿台に原稿を載置するために開閉される原稿カバーと、
前記原稿カバーの開閉操作に従って前記原稿台に載置された原稿のサイズを判別する判別手段と、
前記画像読取装置を前記第２の電力状態から前記第１の電力状態に移行させる電力制御手段と、
前記電力制御手段によって前記画像読取装置が前記第２の電力状態から前記第１の電力状態に移行された後、前記原稿台に載置された原稿のサイズが前記判別手段によって判別されていない場合に、前記原稿カバーの開閉操作を行うよう促す通知手段とを有することを特徴とする画像読取装置。
【請求項２】
前記判別手段は、前記通知手段によって前記原稿カバーの開閉操作を行うよう促された後、前記原稿カバーの開閉操作に従って、前記原稿台に載置された原稿のサイズを判別することを特徴とする請求項１に記載の画像読取装置。
【請求項３】
前記電力制御手段によって前記画像読取装置が前記第２の電力状態から前記第１の電力状態に移行された後、前記原稿カバーが開いていれば、前記判別手段は、前記原稿カバーが閉じられる際に前記原稿台に載置された原稿のサイズを判別することを特徴とする請求項１または２に記載の画像読取装置。
【請求項４】
前記電力制御手段によって前記画像読取装置が前記第２の電力状態から前記第１の電力状態に移行された後、前記原稿カバーが開いていれば、前記通知手段は、前記原稿カバーの開閉操作を行うよう促さないことを特徴とする請求項１乃至３のいずれか１項に記載の画像読取装置。
【請求項５】
前記原稿のサイズをユーザから受け付ける受付手段と、
原稿の読み取りを開始するための読取開始指示を受信する指示受信手段とをさらに有し、
前記通知手段は、前記原稿カバーの開閉操作を行うよう促した後に前記指示受信手段によって前記読取開始指示を受信し、
前記原稿台に載置された原稿のサイズが前記判別手段によって判別されておらず、前記受付手段によって前記原稿のサイズを受け付けていない場合に、前記原稿カバーの開閉操作を行うよう促すことを特徴とする請求項１乃至４のいずれか１項に記載の画像読取装置。
【請求項６】
前記電力制御手段は、前記原稿カバーの開閉操作に従って、前記画像読取装置を前記第２の電力状態から前記第１の電力状態に移行させることを特徴とする請求項１乃至５のいずれか１項に記載の画像読取装置。
【請求項７】
前記原稿カバーの開き角度が所定の角度になったか否かを検出する検出手段をさらに有し、
前記電力制御手段は、前記検出手段によって前記原稿カバーの開き角度が所定の角度になったことが検出された場合に、前記画像読取装置を前記第２の電力状態から前記第１の電力状態に移行させることを特徴とする請求項６に記載の画像読取装置。
【請求項８】
前記画像読取装置を操作するための操作手段をさらに有し、
前記電力制御手段は、前記操作手段の操作を受け付けたことに従って、前記画像読取装置を前記第２の電力状態から前記第１の電力状態に移行させることを特徴とする請求項１乃至５のいずれか１項に記載の画像読取装置。
【請求項９】
外部装置からジョブを受信するジョブ受信手段をさらに有し、
前記電力制御手段は、前記ジョブ受信手段によって前記ジョブを受信したことに従って、前記画像読取装置を前記第２の電力状態から前記第１の電力状態に移行させることを特徴とする請求項１乃至５のいずれか１項に記載の画像読取装置。
【請求項１０】
前記通知手段は、前記電力制御手段によって前記画像読取装置が前記第２の電力状態から前記第１の電力状態に移行された後、前記原稿台に載置された原稿のサイズが前記判別手段によって判別されている場合、前記原稿カバーの開閉操作を行うよう促さないことを特徴とする請求項１乃至９のいずれか１項に記載の画像読取装置。
【請求項１１】
前記通知手段は、前記原稿カバーの開閉操作を行うよう促すメッセージを表示部に表示させることによって、前記原稿カバーの開閉操作を行うよう促すことを特徴とする請求項１乃至１０のいずれか１項に記載の画像読取装置。
【請求項１２】
前記通知手段は、前記原稿カバーの開閉操作を行うよう促すよう音声によって通知することを特徴とする請求項１乃至１１のいずれか１項に記載の画像読取装置。
【請求項１３】
前記判別手段は、前記原稿カバーの開閉操作に従って行われる前記原稿の読取処理に従って、前記原稿台に載置された原稿のサイズを判別することを特徴とする請求項１乃至１２のいずれか１項に記載の画像読取装置。
【請求項１４】
前記判別手段は、前記原稿カバーの開閉操作に従って行われるサイズ検知センサによる前記原稿のサイズの検知に従って、前記原稿台に載置された原稿のサイズを判別することを特徴とする請求項１乃至１２のいずれか１項に記載の画像読取装置。
【請求項１５】
第１の電力状態と、当該第１の電力状態より消費電力が小さい第２の電力状態を有する画像読取装置であって、
原稿台に原稿を載置するために開閉される原稿カバーと、
前記原稿カバーの開閉操作に従って前記原稿台に載置された原稿のサイズを判別する判別手段と、
前記画像読取装置を前記第２の電力状態から前記第１の電力状態に移行させる電力制御手段と、
前記電力制御手段によって前記画像読取装置が前記第２の電力状態から前記第１の電力状態に移行される場合に、前記原稿カバーを閉じないよう促す通知手段とを有することを特徴とする画像読取装置。
【請求項１６】
前記通知手段は、さらに、前記画像読取装置が前記第２の電力状態から前記第１の電力状態に移行するまでにかかる時間を通知することを特徴とする請求項１４に記載の画像形成装置。
【請求項１７】
第１の電力状態と、当該第１の電力状態より消費電力が小さい第２の電力状態を有し、原稿台に原稿を載置するために開閉される原稿カバーを有する画像読取装置の制御方法であって、
前記原稿カバーの開閉操作に従って前記原稿台に載置された原稿のサイズを判別する判別工程と、
前記画像読取装置を前記第２の電力状態から前記第１の電力状態に移行させる電力制御工程と、
前記電力制御工程で前記画像読取装置が前記第２の電力状態から前記第１の電力状態に移行された後、前記原稿台に載置された原稿のサイズが前記判別工程で判別されていない場合に、前記原稿カバーの開閉操作を行うよう促す通知工程とを有することを特徴とする画像読取装置の制御方法。
【請求項１８】
第１の電力状態と、当該第１の電力状態より消費電力が小さい第２の電力状態を有し、原稿台に原稿を載置するために開閉される原稿カバーとを有する画像読取装置の制御方法であって、
前記原稿カバーの開閉操作に従って前記原稿台に載置された原稿のサイズを判別する判別工程と、
前記画像読取装置を前記第２の電力状態から前記第１の電力状態に移行させる電力制御工程と、
前記電力制御工程で前記画像読取装置が前記第２の電力状態から前記第１の電力状態に移行される場合に、前記原稿カバーを閉じないよう促す通知工程とを有することを特徴とする画像読取装置の制御方法。
【請求項１９】
請求項１７または１８に記載の画像読取装置の制御方法を、コンピュータに実行させるためのプログラム。
【発明の詳細な説明】
【技術分野】
【０００１】
本発明は、原稿カバーの開閉によって省電力状態から復帰する画像読取装置、画像読取装置の制御方法、及びプログラムに関するものである。
【背景技術】
【０００２】
従来、ユーザから操作を受け付けない状態で一定時間経過した場合に、プリンタコントローラや、スキャナコントローラなどの各ユニットへの電力供給を遮断した省電力状態に移行する画像読取装置がある。
【０００３】
このような画像読取装置は、省電力状態に移行した後、省電力状態からの復帰要因が発生した場合に省電力状態から復帰する。復帰要因として、ユーザから操作部を介して復帰要求を受け付けた場合や、原稿カバーが開閉された場合がある。
【０００４】
省電力状態からの復帰要因は各種のセンサによって検知される。復帰要因が検知されるとセンサから電力制御部に割込み信号が送られる。電力制御部は、割込み信号を受信すると、各ユニットへの電力供給を開始する。
【０００５】
また、従来の画像読取装置は、原稿台の上に載置された原稿のサイズを、原稿カバーが閉められる際に原稿に光を照射し、照射された光の反射光をセンサで読み取って検知する（特許文献１参照）。この原稿サイズの検知は、原稿カバーの開き角度が小さいところで行われる。
【０００６】
原稿サイズの検知が、原稿カバーの開き角度が小さいときに行う理由は、外部の光が入りづらい状態で光を原稿に照射し、その反射光から原稿のサイズを検知することによって、原稿のサイズを正確に判定するためである。
【０００７】
また、この原稿サイズの検知は、原稿カバーを閉じた状態で行うことはできない。なぜならば、原稿の画像の読取時に原稿ではない部分に色がつかないように原稿を抑えるための基準板が白い部材でできているため、原稿カバーが閉じられると、原稿と基準板との境目の区別が難しくなるからである。つまり、従来の画像読取装置は、原稿カバーを閉める途中に、原稿によって反射される反射光が返ってくる量が多い部分と、原稿の無い部分で反射光が返ってくる量が少ない部分が生じる状況を作り出すことによって原稿のサイズを判別しているのである。
【先行技術文献】
【特許文献】
【０００８】
【特許文献１】特開２０１０−１３０６３１号公報
【発明の概要】
【発明が解決しようとする課題】
【０００９】
しかしながら、従来技術では、原稿カバーが開閉されてから、画像読取装置の起動が完了するまでに一定の時間が必要である。その間は、画像読取装置が起動していないため、原稿台に載置された原稿のサイズを判別するために、原稿に対して光を照射したり、その光の反射光を読み取るための読取処理を行うことができない。そのため、画像読取装置の起動が完了するより先に原稿カバーが閉じられると、画像読取装置は、原稿台に載置された原稿のサイズを判別できない。原稿のサイズが判別できないと、印刷用紙のサイズを決定することができないため、ユーザの意図しないサイズの印刷用紙に原稿の画像がコピーされてしまうことがある。
【００１０】
本発明は、このような課題を解決するためになされたものである。本発明の目的は、画像読取装置の起動中に原稿のサイズを判別できなくても、画像読取装置の起動後に、容易に原稿のサイズを判別できるようにする仕組みを提供するためのものである。
【課題を解決するための手段】
【００１１】
本発明は、第１の電力状態と、当該第１の電力状態より消費電力が小さい第２の電力状態を有する画像読取装置であって、原稿台に原稿を載置するために開閉される原稿カバーと、前記原稿カバーの開閉操作に従って前記原稿台に載置された原稿のサイズを判別する判別手段と、前記画像読取装置を前記第２の電力状態から前記第１の電力状態に移行させる電力制御手段と、前記電力制御手段によって前記画像読取装置が前記第２の電力状態から前記第１の電力状態に移行された後、前記原稿台に載置された原稿のサイズが前記判別手段によって判別されていない場合に、前記原稿カバーの開閉操作を行うよう促す通知手段とを有することを特徴とする。
【発明の効果】
【００１２】
本発明によれば、画像読取装置の起動中に原稿のサイズを判別できなくても、画像読取装置の起動後に、容易に原稿のサイズを判別することができる。
【図面の簡単な説明】
【００１３】
【図１】本実施形態に係る画像形成システムの構成を示すブロック図である。
【図２】本実施形態に係る画像形成装置の構成を示す断面図である。
【図３】本実施形態に係る操作部を説明するための外観図である。
【図４】本実施形態に係る原稿台を説明するための外観図である。
【図５】本実施形態に係る原稿のサイズを検知する処理を説明するための断面図である。
【図６】本実施形態に係る制御例を示すフローチャートである。
【図７】本実施形態に係る制御例を示すフローチャートである。
【図８】本実施形態に係る制御例を示すフローチャートである。
【図９】本実施形態に係る制御例を示すフローチャートである。
【図１０】本実施形態に係る操作画面の表示例を示す図である。
【図１１】本実施形態に係る操作画面の表示例を示す図である。
【図１２】本実施形態に係る制御例を示すフローチャートである。
【図１３】本実施形態に係る操作画面の表示例を示す図である。
【図１４】本実施形態に係る制御例を示すフローチャートである。
【図１５】本実施形態に係る操作画面の表示例を示す図である。
【発明を実施するための形態】
【００１４】
（第１の実施形態）
以下、本発明を実施するための形態について図面を用いて説明する。
【００１５】
図１は、本発明の実施形態に係る画像形成システムの構成を示すブロック図である。
画像形成システムは、画像読取装置の一例である画像形成装置４００と、ホストコンピュータ６１０で構成される。画像形成装置４００とホストコンピュータ６１０は、イーサネット（登録商標）等のＬＡＮ（Ｌｏｃａｌ  Ａｒｅａ  Ｎｅｔｗｏｒｋ）を介して接続されている。
【００１６】
画像形成装置４００は、画像形成装置の主制御部として機能する制御装置（コントローラ部）１００を備えている。また、画像形成装置４００は、原稿の画像を読み取って画像データを生成するためのリーダ装置（リーダ部）２００、画像データに基づいて印刷を行うプリンタ装置（プリンタ部）３００を備えている。さらに画像形成装置４００は、画像データを処理するための画像処理部３５と、ＡＣ電源（商用電源）１１から供給される電力をＡＣからＤＣに変換し、各装置に供給する電源装置１０を備えている。
【００１７】
さらに、画像形成装置４００は、ユーザからの入力を受け付けるキーボード、及び、操作画面を表示し、タッチパネルによってユーザから操作を受け付ける液晶パネルを備えた操作部１５０を備えている。
【００１８】
この画像形成装置４００は、ＮＩＣ（Ｎｅｔｗｏｒｋ  Ｉｎｔｅｒｆａｃｅ  Ｃａｒｄ）１２０を介してＬＡＮなどの有線ネットワーク上のまたはＷｉＦｉなどの無線ネットワーク上のコンピュータ６１０と通信する。ここでは、ＮＩＣについて説明したが、画像形成装置４００は、ＵＳＢなどのローカルインタフェースによってコンピュータ６１０と接続されていてもよい。また、画像形成装置４００は、Ｍｏｄｅｍ１２１及び電話回線を介して、外部のファクシミリ装置と通信する。Ｍｏｄｅｍ１２１は、ファクシミリ装置との通信を制御するためのＮＣＵと変調／復調回路を備えている。
【００１９】
制御装置（コントローラ部）１００は、ＣＰＵ１１１、ＲＡＭ１１２、ＲＯＭ１１３、Ｒｅａｄｅｒ  Ｉ／Ｆ１１４、Ｐｒｉｎｔｅｒ  Ｉ／Ｆ１１５、ＨＤＤ１６０を備える。
【００２０】
ＣＰＵ１１１は、ＲＯＭ１１３またはＨＤＤ１６０に記憶されたプログラムをＲＡＭ１１２に読み出して実行することによって画像形成装置４００を統括的に制御する。
【００２１】
ＲＡＭ１１２は、ＣＰＵ１１１の作業領域として機能する。ＲＯＭ１１３は、ＣＰＵ１１１によって読み出される各種プログラムを記憶する。
【００２２】
Ｒｅａｄｅｒ  Ｉ／Ｆ１１４は、制御装置１００とリーダ装置２００の間のデータ通信を制御する。Ｐｒｉｎｔｅｒ  Ｉ／Ｆは、制御装置１００とプリンタ装置３００の間のデータ通信を制御する。
【００２３】
ＨＤＤ１６０は、画像データや、プログラムを記憶する大容量の記憶媒体である。本実施形態では、記憶媒体としてＨＤＤ１６０を例に挙げて説明するが、読み書き可能であれば、Ｂｌｕ−ｒａｙ（登録商標）ディスクや、フラッシュメモリ、ＤＶＤを用いてもよい。
【００２４】
タイマ１１９は、時計の機能を有し、ＣＰＵ１１１が時間を計測するために用いられる。
【００２５】
システムバス１１７は、これらのユニットを接続し、データの転送に使用されるバスである。
【００２６】
リーダ装置２００は、原稿を搬送する原稿搬送ユニット（ＤＦまたはＡＤＦ）２５０と、原稿の画像を光学的に読み取り、電気信号としての画像データに変換するスキャナコントローラ２１０を備える。
【００２７】
原稿搬送ユニット２５０は、原稿搬送ユニット２５０の上に載置された原稿の有無を検知する原稿センサ２０２を備える。
【００２８】
スキャナコントローラ２１０は、リーダ装置２００が備える原稿カバー（圧板）が開けられたこと、及び閉められたことを検知する開閉センサ２０１を備える。
【００２９】
プリンタ装置３００は、印刷用のシートを収容する給紙カセットや手差しトレイを備える給紙ユニット３２０、画像の印刷を制御するプリンタコントローラ３１０、画像が印刷されたシートにソート処理やステイプル処理を施す排紙ユニット３３０を備える。
【００３０】
この画像形成装置４００は、これらの構成を用いて複数種類のジョブを実行する。
【００３１】
例えば、画像形成装置４００は、リーダ装置２００によって原稿の画像を読み取り、読み取った原稿の画像を示す画像データを生成し、当該画像データに基づきプリンタ装置３００によって画像をシートに印刷するコピージョブを実行する。
【００３２】
また、画像形成装置４００は、リーダ装置２００によって原稿の画像を読み取り、読み取った原稿の画像を示す画像データを、ＮＩＣ１２０を介してホストコンピュータ６１０へ送信するスキャン送信ジョブを実行する。
【００３３】
また、画像形成装置４００は、ホストコンピュータ６１０からＮＩＣ１２０を介して受信した印刷データを解析し、画像データを生成し、生成した画像データに基づいてシートに画像を印刷するプリントジョブを実行する。
【００３４】
さらに、画像形成装置４００は、リーダ装置２００によって原稿の画像を読み取り、読み取った原稿の画像を示す画像データをＨＤＤ１６０に保存するスキャン格納ジョブを実行する。また、画像形成装置４００は、スキャン格納ジョブによってＨＤＤ１６０に格納された画像データに基づいて画像をシートに印刷するボックスプリントジョブを実行する。
【００３５】
また、画像形成装置４００は、リーダ装置２００によって原稿の画像を読み取り、読み取った原稿の画像を示す画像データをコードデータに変換し、変換されたコードデータを、電話回線を介して外部のファクシミリ装置に送信するファクス送信ジョブを実行する。
【００３６】
さらに、画像形成装置４００は、電話回線を介して外部のファクシミリ装置からコードデータを受信し、受信したコードデータを画像データに変換し、変換された画像データに基づいてシートに画像を印刷するファクスプリントジョブを実行する。
【００３７】
ここでは、画像形成装置４００が、複数種類のジョブを実行することについて説明したが、これに限らず、画像形成装置４００は、これらの複数種類のジョブの少なくとも１種類以上のジョブが実行できるものであればよい。
【００３８】
次に、画像形成装置４００の電力状態について説明する。
【００３９】
電源装置１０は、ＡＣ電源１１から供給される交流電流を直流電流に変換するＡＣ−ＤＣコンバータ１３と、スイッチ部１４〜１７を備える。スイッチ１２は、画像形成装置４０への電源をオンまたはオフにするために用いられる。ユーザは、画像形成装置４００の電源を入れたい場合にスイッチをオンにし、画像形成装置４００の電源を切りたい場合にスイッチ１２をオフにする。
【００４０】
スイッチ１２がオフのとき、ＡＣ電源１１からＡＣ−ＤＣコンバータ１３への電力供給は遮断される。一方、スイッチ１２がオンのときＡＣ電源１１から、ＡＣ−ＤＣコンバータ１３に電力が供給され、ＡＣ−ＤＣコンバータ１３によって交流電流から直流電源への変換が行われる。
【００４１】
電源制御部１２２は、スイッチ部１４〜１７のそれぞれをオンにすることによって、電源装置１０のＡＣ−ＤＣコンバータ１３から、制御装置１００、リーダ装置２００、プリンタ装置３００、画像処理部３５への電力を供給する。一方、電源制御部１２２は、スイッチ部１４〜１７のそれぞれをオフにすることによって、電源装置１０のＡＣ−ＤＣコンバータ１３から、制御装置１００、リーダ装置２００、プリンタ装置３００、画像処理部３５への電力を遮断する。
【００４２】
スイッチ部１４がオンにされると、電源装置１０から制御装置１００への電力供給が行われる。スイッチ部１５がオンにされると、電源装置１０からリーダ装置２００への電力供給が行われる。スイッチ部１６がオンにされると、電源装置１０からプリンタ装置３００への電力供給が行われる。スイッチ部１７がオンにされると、画像処理部３５への電力供給が行われる。
【００４３】
この電源制御部１２２によるスイッチ部１４〜１７のオン／オフによって、画像形成装置４００の電力状態が変わる。スタンバイモード（通常モード）は、スイッチ部１４〜１７を全てオンにし、制御装置１００、リーダ装置２００、プリンタ装置３００、画像処理部３５の全てに電力が供給され、上述した複数種類のジョブを実行するモードである。一方、スリープモードは、スイッチ部１４〜１７を全てオフにすることによって、画像形成装置４００における消費電力を、スタンバイモードのときよりも小さくするモードである。
【００４４】
具体的に、画像形成装置４００がスリープモードに移行するために、スイッチ部１４〜１７の全てをオフに設定する。それによって、画像形成装置４００における消費電力を小さくすることができる。
【００４５】
この電源制御部１２２は、画像形成装置４００がスリープモードにある間は、ＣＰＵ１１１からの指示に従って電力の供給及び遮断する。一方、制御装置１００への電力が遮断されている間は、電源制御部１２２が、他のユニットからの割込み信号を受け付け、割込み信号を受け付けた場合に、制御装置１００を起動する。
【００４６】
他のユニットの例として、開閉センサ２０１、原稿センサ２０２、ＮＩＣ１２０、操作部１５０、Ｍｏｄｅｍ１２１がある。これらのユニットは、画像形成装置４００がスリープモードに移行しても、電源装置１０から常に電力が供給される。なお、タイマ１１９も、電源装置１０から常に電力が供給されるが、割込み信号を送信しないので、ここでの説明は省略する。
【００４７】
開閉センサ２０１、原稿センサ２０２、ＮＩＣ１２０、操作部１５０、Ｍｏｄｅｍ１２１の各ユニットが、スリープモードからの復帰要因を検知した場合に、電源制御部１２２に割込み信号を送信する。
【００４８】
例えば、開閉センサ２０１が原稿カバーの開閉操作を検出した場合、開閉センサ２０１から電源制御部１２２に割込み信号が送信される。また、原稿センサ２０２が原稿搬送ユニット２００の上に原稿が載置されたことを検知した場合、原稿センサ２０２から電源制御部１２２に割込み信号が送信される。また、ＮＩＣ６１０は、外部のホストコンピュータ６１０からプリントジョブを受信した場合に、電源制御部１２２に割込み信号を送信する。また、操作部１５０を介してユーザから操作を受け付けた場合に、操作部１５０は電源制御部１２２に割込み信号を送信する。さらに、Ｍｏｄｅｍ１２１を介して外部のファクシミリ装置からファクスプリントジョブを受信した場合、Ｍｏｄｅｍ１２１は電源制御部１２２に割込み信号を送信する。
【００４９】
なお、本実施形態では、コストを下げるために電力制御部１２２への信号線の入力ピン数を減らし、これらの割込み信号は、その論理和を取って電力制御部１２２に入力される。そのため、開閉センサ２０１からの割込み信号であるのか、原稿センサ２０２からの割込み信号であるのかを、電源制御部１２２は判断することができない。
【００５０】
そして、電源制御部１１１は、割込み信号を受信すると、スイッチ部１４〜１７をオンに切り替え、画像形成装置４００を、スリープモードからスタンバイモードに復帰させる。そして、割込み信号があった旨と、割込み信号の送信元を示す信号をＣＰＵ１１１に伝える。なお、原稿センサ２０２及び開閉センサ２０１からの割込み信号は、論理和を取って、電源制御部１２２に伝えられているので、それらの送信元は区別されず、リーダ装置２００としてＣＰＵ１１１に伝えられる。
【００５１】
なお、本実施形態では、ＣＰＵ１１１は、ＮＩＣ１２０、Ｍｏｄｅｍ１２１、操作部１５０、開閉センサ２０１、原稿センサ２０２のいずれから割込み信号を受け付けた場合でも、スイッチ部１４〜１７の全てをオンにする例について説明した。しかしながら、本発明は、これに限られるものではなく、割込み信号の送信元を判別し、判別した送信元に応じて、使用することが予想される装置のみに電力を供給してもよい。
【００５２】
例えば、開閉センサ２０１または原稿センサ２０２から電源制御部１２２が割込み信号を受信した場合、電源制御部１２２は、主制御部１００を起動した後、開閉センサ２０１または原稿センサ２０２から割込み信号を受信した旨を示す情報をＣＰＵ１１１に通知する。
【００５３】
ＣＰＵ１１１は、その情報に基づいて、リーダ装置２００が使用されると推測する。そして、ＣＰＵ１１１は、スイッチ部１５をオフにした状態のまま、スイッチ部１６及びスイッチ部１７のみをオンにすることで、プリンタ装置３００を起動せずに、リーダ装置２００、及び画像処理部３５を起動するようにしてもよい。
【００５４】
次に、画像形成装置４００の構成について、図２に示す断面図を用いて説明する。図２は、画像形成装置４００のリーダ装置２００及びプリンタ部３００の断面図である。
まず、リーダ装置２００について説明する。
【００５５】
リーダ装置２００において、原稿搬送ユニット（ＤＦ）２５０は、自動原稿搬送ユニット上に載置された原稿を、上から順に１枚ずつ給紙し、プラテンガラス２１１上に搬送する。
【００５６】
原稿がプラテンガラス２１１まで搬送されると、スキャナコントローラ２１０は、ＬＥＤ２１２を点灯させ、原稿を露光走査する。このとき、原稿からの反射光は、ミラー２１４、２１５、２１６及びレンズ２１７によってＣＣＤイメージセンサ（以下ＣＣＤという）２１８へ導かれる。そして、この反射光はＣＣＤ２１８によって読み取られる。ＣＣＤ２１８は、読み取った反射光に基づいて画像データを生成し、生成した画像データを、制御装置１００に転送する。読み取られた原稿は、原稿排紙トレイ２１９に排紙される。ここでは、ＣＣＤを例に説明したが、これに限らず、ＣＩＳセンサを用いてもよい。ＣＩＳセンサを用いる場合、ミラー２１４〜２１６、レンズ２１７は必要ない。
【００５７】
次にプリンタ装置３００について説明する。
【００５８】
プリンタ装置３００において、３２１はレーザドライバで、レーザ発光部３２２を駆動するものであり、制御装置１００から出力された画像データに応じたレーザ光をレーザ発光部３２２に発光させる。このレーザ光は感光ドラム３２３に照射され、感光ドラム３２３にはレーザ光に応じた潜像が形成される。この感光ドラム３２３の潜像の部分には現像器３２４によって現像剤が付着される。ここでは、レーザ光による露光について説明したが、ＬＥＤアレイセンサによる露光を用いてもよい。
【００５９】
プリンタ装置３００は、給紙ユニット３２０として給紙カセット３１１、給紙カセット３１２、給紙カセット３１３、給紙カセット３１４を有している。ユーザは、それぞれの給紙カセットを引き出し、引き出した給紙カセットに印刷用のシートを補給し、給紙カセットを閉めることによって、印刷用のシートの補給を行う。
【００６０】
プリンタ装置３００は、給紙カセット３１１、３１２、３１３、３１４のいずれかからシートを給紙し、給紙したシートを転写部３２５へ搬送路３３１を介して搬送する。転写部３２５は、感光ドラム３２３に付着された現像剤をシートに転写する。
【００６１】
現像剤が転写されたシートは搬送ベルト３２６によって、定着部３２７に搬送され、定着部３２７の熱と圧力により現像剤はシートに定着される。その後、定着部３２７を通過したシートは搬送路３３５、搬送路３３４を通り、機外に排出される。なお、印字面を反転してシートを機外に排出する場合、シートは、搬送路３３６を経由して、搬送路３３８まで搬送され、そこからシートを逆方向に搬送し、シートを搬送路３３７、及び搬送路３３４を経由させて機外に排紙する。
【００６２】
また、両面印刷するよう設定されている場合、シートは、定着部３２７を通過したあと、搬送路３３６からフラッパ３２９によって、搬送路３３３に導かれる。そして、シートは、逆方向に搬送され、フラッパ３２９によって、搬送路３３８、及び再給紙搬送路３３２へ導かれる。再給紙搬送路３３２へ導かれたシートは上述したタイミングで搬送路３３１を通り、転写部３２５へ給紙される。片面、両面印刷にかかわらず、搬送路３３４より排出されたシートは搬送路３３０へ搬送される。搬送路３３０へ搬送されたシートは、バッファユニット５０１に送られる。ここでは、場合に応じて搬送されてきたシートをバッファローラに巻きつけてバッファリングする。例えば、この下流で行われるステイプル処理に時間がかかる場合、シートをこのバッファユニットに巻き付けて蓄えておくことで、本体から搬送されてくるシートの搬送速度を一定に保ったまま、シート同士が衝突することなくシートにステイプル処理を実行できる。
【００６３】
そして、シートは、この後、上流排出ローラ対５０２、下流排出ローラ対５０３によって搬送路５１０を経由して、排紙トレイ５０７に排出される。
【００６４】
また、ステイプルを実行するよう設定されている場合、上流排出ローラ対５０２で搬送されシートの後端が上流排出ローラ対５０２を抜けた直後、シートはローレットベルト５０４によって引き戻され、スタックトレイ５０５に排出される。そして、所定の枚数分シートが積載されたあと、ステイプルユニット５０６によってステイプル処理が行われた後に、下流排出ローラ対５０３により排出トレイ５０７に排出される。また、シフトソート時にはスタックトレイに積まれたシートを左右にずらし、排出トレイ５０７に排出することによって、部の切れ目を明確にする。
【００６５】
本実施形態では、電子写真方式で印刷を行う画像形成装置４００を例にあげて説明したが、本発明は、インクを吐出するインクジェット方式で印刷を行う装置に適用してもよい。また、本発明は、プリンタ装置３００を備えず、プリンタ装置３００以外の構成のみを備える装置であってもよい。
【００６６】
次に、操作部１５０の構成について、図３を用いて説明する。
【００６７】
操作部１５０は、図３に示すように、タッチパネル部７００とハードキー群からなる。
【００６８】
タッチパネル部７００は、タッチパネルシートが貼り付けられた液晶ディスプレイ（表示部）で構成される。タッチパネル部７００には、操作画面が表示され、タッチパネルシートによってユーザから操作を受け付ける。また、タッチパネル部７００には、画像形成装置４００の状態の表示や、画像のプレビューに用いられる。
【００６９】
テンキー７０１は、０〜９までの数値を入力するためのものであり、コピージョブの部数の入力や、ファクシミリ送信ジョブの宛先の入力のために用いられる。
リセットキー７０３は、設定された部数や、その他のジョブの設定をリセットするためのキーである。
【００７０】
ユーザモードキー７０５は、画像形成装置４００の動作の詳細な設定を行うためのキーである。
【００７１】
スタートキー７０７は、コピージョブやスキャン送信等の読取開始指示を受付けるためのキーである。ストップキー７０８は、実行中のジョブを中止させるためのキーである。
【００７２】
節電キー７１０は、画像形成装置４００の電力状態を切り替えるためのスイッチである。画像形成装置４００がスタンバイモードにある場合に節電キー７１０が押されると、画像形成装置４００はスリープモードに移行する。一方、画像形成装置４００がスリープモードにある場合に節電キー７１０が押されると、画像形成装置４００はスタンバイモードに移行する。
【００７３】
電源ＬＥＤ７１８は、画像形成装置４００がスタンバイモードにある場合に点灯し、画像形成装置４００がスリープモードにある場合に消灯する。
【００７４】
図４は、リーダ装置２００のプラテンガラス２１１上に載置された原稿を示す図である。
【００７５】
プラテンガラス２１１の図中左側及び上側には、それぞれ主走査方向サイズ目安板１３３及び副走査方向サイズ目安版１３２が設けられている。ユーザは、主走査方向サイズ目安版１３３及び副走査方向サイズ目安版１３２を目印にして、原稿を原稿台１２２上に配置する。図４の例では、Ｂ５サイズの原稿が配置されている。
【００７６】
図５（ａ）は、原稿台に載置された原稿のサイズを検知するための処理を説明するための図である。
【００７７】
スキャナコントローラ２１０からの指示によって、ＬＥＤ２１２は光を照射する。原稿４０６がある領域については原稿４０６によって光が反射されるが、原稿４０６の無い領域については、ＬＥＤ２１２からの光が反射されない。原稿４０６によって反射した光は、ミラー２１４、２１５、２１６及びレンズ２１７によってＣＣＤ２１８へ導かれる。ＣＣＤ２１８は読み取った光を信号に変換し、スキャナコントローラ２１０に送信する。スキャナコントローラ２１０は、受信した信号をＣＰＵ１１１に転送し、ＣＰＵ１１１は、その信号に基づいて、原稿４０６のある領域を判断し、原稿のサイズは検知される。
【００７８】
ユーザが、原稿をプラテンガラス２１１にセットしようとして、原稿カバーを開けると、合う板に取り付けられている開閉検知センサ４０１、４０２、４０３、４０４によって、原稿カバーの開閉操作が行われたことと、その開閉角度が検知される。この開閉検知センサ４０１、４０２、４０３、４０４は、図１の開閉検知センサ２０１に対応する。
【００７９】
図５（ｂ）は、４つの開閉検知センサ４０１、４０２、４０３、４０４として使われているフォトインタラプタの外観を示す斜視図である。４つの開閉検知センサは同一の構造を有している。開閉検知センサを構成するフォトインタラプタは周知のものであり、フィン４０５がその隙間に位置するか否かによって異なる信号を出力する。
【００８０】
原稿カバーが閉じられた状態である場合、開閉検知センサ４１０は、フィン４０５によってフォトインタラプタ内で照射及び受光されている光が遮断されていることを検知する。この状態からユーザが原稿カバーを押し上げようとすると、開閉検知センサ４０１に位置していたフィン４０５が外れ、開閉検知センサ４０１はそれを検知する。検知した信号は、割込み信号としてＣＰＵ１１１に伝えられる。この割込み信号によって、ＣＰＵ１１１は、原稿カバーが開かれたことが検知される。また、スキャナコントローラ２１０への電力供給が行われている状態であれば、検知した信号は、スキャナコントローラ２１０にも送信される。スキャナコントローラ２１０は、送信された信号をＣＰＵ１１１に送信する。この信号によって、ＣＰＵ１１１は、原稿カバーの開閉角を判定する。
【００８１】
また、開閉検知センサ４０２は、原稿カバーが３０°開いたことを検知するように配置されている。また、開閉検知センサ４０３は、原稿カバーが４５°開いたことを検知するように配置されている。開閉検知センサ４０４は、原稿カバーが７０°開いたことを検知するように配置されている。
【００８２】
プラテンガラス２１１に載置された原稿のサイズを検知するために、ＣＰＵ１１１は、開閉検知センサ４０２がフィン４０５を検知したとき、つまり、原稿カバーが３０°開いたことを検知したときに、ＬＥＤ２１２によって原稿に光を照射する。そして、その光の反射光をＣＣＤ２１８によって読み取り、反射光が得られた領域を基に、原稿のサイズを判別する。このように、原稿台に置かれた原稿サイズの検知は、原稿カバーの開き角度が小さいところで行われる。原稿サイズの検知を原稿カバーの開き角度が大きいところで行わない理由は、外光が入りづらい状態で原稿に光を照射し、その反射光を読み取る読取処理を行うことによって、原稿のサイズを正確に判定するためである。
【００８３】
以上のような画像形成装置４００は、上述したスリープモードに移行することによって、画像形成装置４００の消費電力を減らすことができる。そして、画像形成装置４００は、スリープモードからの復帰要因を検知し、スイッチ部１４〜１７をオンにして、ジョブを実行可能なスタンバイモードに移行するために数秒かかる。本実施形態の画像形成装置では、５秒かかるものとする。
【００８４】
また、このリーダ装置２００は、また、原稿サイズを、原稿カバーが閉じた状態では行えない。その理由は、原稿を抑えるための原稿カバーの基準板が、原稿ではない部分に色がつかないように白い部材でできており、原稿カバーが閉じられると、原稿と基準板の境目の区別が難しくなるからである。つまり、原稿カバーを閉める途中、原稿にて反射される反射光が返ってくる部分と、原稿の無い部分で反射光が返ってこない、もしくは反射光が少なくなる部分が生じる状況を作り出すことによって、原稿のサイズを読み取っているのである。
【００８５】
そのため、画像形成装置４００が、スリープモードからスタンバイモードへの移行が完了する前に、原稿カバーが閉められてしまうと、上述したスキャナコントローラ２１０がＬＥＤ２１２による光の照射や、その反射光の読み取りができない。そのため、画像形成装置４００は原稿のサイズを検知することができない。
【００８６】
そこで、本実施形態にかかる画像形成装置４００は、原稿カバーの開閉操作が行われ、スリープモードからスタンバイモードへの移行が完了した後、原稿カバーが閉じられているのに原稿のサイズを判別できない場合には、ユーザに原稿カバーの開閉を促す。それによって、ユーザが、原稿のサイズを、操作部１５０を操作して手で入力せずとも、原稿のサイズを画像形成装置４００に判別させることができる。
【００８７】
図６は、画像形成装置４００がスタンバイモードにある状態で実行される処理を示すフローチャートである。図６の処理は、ＣＰＵ１１１が、ＲＯＭ１１３に記憶されたプログラムをＲＡＭ１１２に読み出して実行することによって実現される。
【００８８】
Ｓ１００１で、ＣＰＵ１１１は、ＲＡＭ１１２にタイマの値を格納する変数を記憶し、その変数をゼロに初期化する。以降、ＣＰＵ１１１は、タイマ１１９を参照し、ＲＡＭ１１２内のタイマの値をカウントアップする。
【００８９】
Ｓ１００２で、ＣＰＵ１１１は、外部装置からジョブを受信したか否かを判定する。例えば、ホストコンピュータ６１０から印刷ジョブを受信した場合や、外部のファクシミリ装置からＭｏｄｅｍ１２１を介してファクス印刷ジョブを受信した場合に、ＣＰＵ１１１は、Ｓ１００２からＳ１００６に処理を進める。Ｓ１００６で、ＣＰＵ１１１は、受信したジョブを実行し、ＣＰＵ１１１は、Ｓ１００８に処理を進める。ここでいうジョブは、前述したプリントジョブ、ファクスプリントジョブのいずれかである。Ｓ１００８で、ＣＰＵ１１１は、ＲＡＭ１１２内のタイマの値を０にリセット（初期化）する。
【００９０】
一方、外部装置からジョブを受信していない場合、Ｓ１００２からＳ１００３に処理を進める。
【００９１】
Ｓ１００３で、ＣＰＵ１１１は、操作部１５０のキーが押されたか否かを判定する。操作部１５０のキーが押された場合にＳ１００７に処理を進め、ＣＰＵ１１１は、押されたキーに従った処理を実行する。押されたキーに従った処理の例として、テンキー７０１による数値の入力や、スタートキー７０７によるジョブの実行指示がある。Ｓ１００８で、ＣＰＵ１１１は、タイマの値を０にリセット（初期化）する。
【００９２】
一方、操作部１５０のキーが押されていない場合、Ｓ１００４に処理を進め、タイマの値をカウントアップし、Ｓ１００５に処理を進める。
【００９３】
Ｓ１００５で、ＣＰＵ１１１は、カウントされたタイマの値が所定の値に達したか否かを判定する。つまり、ここでは、外部からのジョブの受信も、操作部１５０の操作もない状態で所定の時間が経過したか否かが判定される。タイマの値が所定の値に達していないと判定した場合、Ｓ１００２に処理を戻す。一方、タイマの値が所定の値に達したと判定した場合、Ｓ１００９に処理を進める。
【００９４】
Ｓ１００９で、ＣＰＵ１１１は、画像形成装置４００の消費電力を下げるために、画像形成装置４００をスリープモードに移行する。具体的には、図１に示すスイッチ部１４〜１７をオフにし、リーダ装置２００、プリンタ装置３００、制御装置１００、画像処理部３５への電力供給を遮断する。
【００９５】
以上のように、画像形成装置４００は、省電力状態に移行する。
【００９６】
次に、スリープモードに移行した後、復帰要因が発生した場合に電源装置１０から各装置への電力の供給を開始する制御について、図７に示すフローチャートを用いて説明する。なお、本実施形態では、復帰要因の種類に応じて、復帰した後に使用される可能性が高い装置に電力供給を行い、それ以外の装置に電力供給を行わない例について説明する。図７の処理は、電源制御部１２２の制御、及び、ＣＰＵ１１１が、ＲＯＭ１１３に記憶されたプログラムをＲＡＭ１１２に読み出して実行することによって実現される。
【００９７】
Ｓ１２０１で、ＣＰＵ１１１は、スリープモードからの復帰要因が発生したか否かを電源制御部１２２から割込み信号を受信したか否かによって判定する。スリープモードからの復帰要因は、上述したように、外部からのプリントジョブ（例えば、プリントジョブやファクスプリントジョブなど）の受信や、操作部１５０のキーの押下、リーダ装置２００の原稿カバーの開閉などがある。また、ＣＰＵ１１１は、外部からプリントジョブを受信する場合だけでなく、外部からスキャン送信ジョブやスキャン格納ジョブの実行指示を受け付けた場合に、電源制御部１２２からの割込み信号によってスリープモードからの復帰要因が発生したと判定してもよい。Ｓ１２０１で、スリープモードからの復帰要因が発生していないと判定した場合、Ｓ１２０２に処理を進め、ＣＰＵ１１１は、スリープモードを維持する。
【００９８】
一方、スリープモードからの復帰要因が発生したと判定した場合、ＣＰＵ１１１は、Ｓ１２０３に処理を進め、復帰要因がリーダ装置２００からの復帰要因であるか否かを、電源制御部１２２から割込み信号の送信元を示す信号を受信して判定する。復帰要因がリーダ装置２００からの復帰要因であると判定した場合、Ｓ１２０４に処理を進め、リーダ装置２００からの復帰要因ではないと判定した場合、Ｓ１２０６に処理を進める。Ｓ１２０４で、ＣＰＵ１１１は、スイッチ部１６をオンにし、リーダ装置２００への電力供給を開始する。
【００９９】
そして、Ｓ１２０５で、ＣＰＵ１１１は、原稿サイズ検知処理を実行する。原稿サイズ検知処理の詳細は、後に図８を用いて説明する。
【０１００】
一方、Ｓ１２０５からＳ１２０６に処理を進めた場合、ＣＰＵ１１１は、外部装置からジョブを受信したか否かを判定する。外部装置からジョブを受信したと判定した場合、Ｓ１２０７に処理を進め、ジョブを受信していないと判定した場合、Ｓ１２０８に処理を進める。Ｓ１２０６からＳ１２０８に進む処理は、操作部１５０のキーの押下があった場合に行われる。
【０１０１】
Ｓ１２０７で、ＣＰＵ１１１は、外部装置から受信したジョブの印刷を実行するため、スイッチ部１５をオンにし、プリンタ装置３００への電力供給を開始する。
【０１０２】
Ｓ１２０６からＳ１２０８に処理を進めた場合、リーダ装置２００とプリンタ装置３００の両方を使用するコピージョブが実行される可能性が高いため、ＣＰＵ１１１は、スイッチ部１６をオンにし、リーダ装置２００への電力供給を開始する。そして、Ｓ１２０９で、ＣＰＵ１１１は、スイッチ部１５をオンにし、プリンタ装置３００への電力供給を開始する。
【０１０３】
そして、処理を終了する。
【０１０４】
このように、画像形成装置４００は、スリープモードにある場合でも、原稿カバーの開閉や原稿のセット、外部装置からのジョブの受信、操作部１５０のキーの押下のいずれかがあった場合に、スリープモードからスタンバイモードに復帰することができる。また、復帰要因に応じて、復帰した後の処理で使用される可能性が高い装置に電力供給を行い、それ以外の装置に電力供給を行わないので、全ての装置に電力供給を行う場合と比較して、消費電力を下げることができる。
【０１０５】
次に、図７のＳ１２０５で行われる原稿サイズを検知するための処理の詳細について、図８のフローチャートを用いて説明する。図８の処理は、ＣＰＵ１１１が、ＲＯＭ１１３に記憶されたプログラムをＲＡＭ１１２に読み出して実行することによって実現される。
【０１０６】
Ｓ１３０１で、ＣＰＵ１１１は、リーダ装置２００が起動したか否かを判定する。本実施形態では、リーダ装置２００の起動に、５秒かかるものとする。なお、リーダ装置の起動にかかる時間は５秒に限られず、他の時間がかかるものでもよい。リーダ装置２００が起動するまで、Ｓ１３０１の処理を繰り返し、リーダ装置２００が起動したと判定した場合に、Ｓ１３０２に処理を進める。
【０１０７】
Ｓ１３０２で、ＣＰＵ１１１は、原稿カバーの状態を、起動したリーダ装置２００のスキャナコントローラ２１０から取得する。
【０１０８】
Ｓ１３０３で、ＣＰＵ１１１は、原稿カバーが閉じられているか否かを開閉センサ４０１からの信号に基づいて判定する。開閉センサ４０１からの信号を受信している場合、ＣＰＵ１１１は、原稿カバーが閉じられていると判定し、開閉センサ４０１からの信号を受信していない場合、ＣＰＵ１１１は、原稿カバーが閉じられていないと判定する。原稿カバーが閉じていると判定された場合、ＣＰＵ１１１は、Ｓ１３０４に処理を進め、原稿カバーが閉じていないと判定した場合、Ｓ１３１１に処理を進める。例えば、原稿カバーが開けられてから、ユーザが原稿をセットするために５秒以上かかった場合には、原稿カバーが開けられた状態で、リーダ装置２００の起動が完了する。この場合、Ｓ１３０３で、原稿カバーが閉じられていないと判定される。その場合、原稿カバーが閉じられる際に、原稿カバーの開き角度が所定の角度（本実施形態では３０°）になったタイミングで原稿に光を照射して原稿のサイズを検知する。具体的に、Ｓ１３１１で、ＣＰＵ１１１は、開閉センサ４０２からの信号を受信したことに従って、原稿カバーの開き角度が３０°になったと判定する。原稿カバーの開き角度が所定の角度になるまで、Ｓ１３１１の処理が繰り返される。原稿カバーの開き角度が所定の角度になったと判定した場合に、ＣＰＵ１１１は、Ｓ１３１１からＳ１３１２に処理を進める。Ｓ１３１２で、ＣＰＵ１１１は、リーダ装置２００に対して、原稿に光を照射するよう指示する。リーダ装置２００によって原稿に光が照射された後、その反射光がＣＣＤ２１８によって読み取られる。ＣＰＵ１１は、読み取った画像から原稿のエッジを検出し、原稿のサイズを検知する。検知された原稿のサイズはＣＰＵ１１１によってＲＡＭ１１２に記憶される。
【０１０９】
一方、Ｓ１３０３からＳ１３０４に処理を進めた場合、Ｓ１３０４で、ＣＰＵ１１１は、原稿搬送ユニット２５０に原稿が載置されているか否かを原稿センサ２０２からの信号によって判定する。この判定は、割込み信号によってではなく、原稿センサ２０２からの信号を、スキャナコントローラ２１０を介してＣＰＵ１１１が受信することによって、ＣＰＵ１１１によって行われる。原稿搬送ユニット２５０に原稿が載置されていると判定した場合、Ｓ１３１０に処理を進める。Ｓ１３１０で、ＣＰＵ１１１は、原稿搬送ユニット２５０が有するサイズ検知センサに基づいて原稿のサイズを検知してＲＡＭ１１２に記憶する。このようにして、原稿のサイズは確定される。
【０１１０】
原稿搬送ユニット２５０に原稿が載置されていないと判定した場合、Ｓ１３０６に処理を進める。この場合、リーダ装置２００からの復帰要因があったのに、原稿搬送ユニット２５０に原稿が載置されていないため、原稿台に原稿が載置されている可能性が高い。しかしながら、原稿カバーを閉じた状態では、原稿のサイズを検知することができない。なぜならば、原稿を抑えるための原稿カバーの基準板が、原稿ではない部分に色がつかないように白い部材でできており、原稿カバーが閉じられると、原稿と基準板の境目の区別が難しくなるからである。そこで、Ｓ１３０６で、ＣＰＵ１１１は、原稿カバーの開閉を促すための通知を行う。図１０は、ユーザに原稿カバーの開閉を促すために操作部１５０に表示される画面の例である。メッセージ７３０には、原稿カバーの開閉で原稿サイズを自動的に検知することが可能である旨が表示されている。
【０１１１】
Ｓ１３０７で、ＣＰＵ１１１は、開閉センサ４０１からの信号によって、原稿カバーが開けられたか否かを判断する。ＣＰＵ１１１は、開閉センサ４０１からの信号が受信されなくなったこと、または開閉センサ４０２〜４０４のいずれかから信号を受信したことに従って、原稿カバーが開けられたと判断する。原稿カバーが開けられたと判断した場合、Ｓ１３１１に処理を進める。一方、原稿カバーが開けられずに、Ｓ１３０８で、原稿のサイズが操作部１５０から入力されたと判定した場合には、Ｓ１３０９に処理を進める。一方、原稿カバーが開けられず、操作部１５０から原稿サイズの入力もないと判定した場合、原稿サイズをＲＡＭ１１２に記憶せずに図８に示す処理を終了する。
【０１１２】
Ｓ１３０７からＳ１３１１に処理を進めた後、ＣＰＵ１１１は、上述したように、Ｓ１３１１〜Ｓ１３１３の処理を実行することによって、原稿のサイズを検知して、ＲＡＭ１１２に記憶する。具体的に、Ｓ１３１１で、ＣＰＵ１１１は、原稿カバーの開き角度が所定の角度（３０°）になったか否かを判定する。原稿カバーの開き角度が所定の角度になるまで、Ｓ１３１１の処理が繰り返される。原稿カバーの開き角度が所定の角度になったと判定した場合に、ＣＰＵ１１１は、Ｓ１３１１からＳ１３１２に処理を進める。Ｓ１３１２で、ＣＰＵ１１１は、リーダ装置２００に対して、原稿に光を照射するよう指示する。リーダ装置２００によって原稿に光が照射された後、その反射光がＣＣＤ２１８によって読み取られる。Ｓ１３１３で、ＣＰＵ１１は、読み取った画像から原稿のある領域を検出し、検出した領域に基づいて原稿のサイズを検知する。検知された原稿のサイズはＣＰＵ１１１によってＲＡＭ１１２に記憶される。
【０１１３】
以上のようにして原稿のサイズを検知するための処理が終了する。
【０１１４】
次に、検知された原稿のサイズに従ってコピージョブを実行するための処理を、図９のフローチャートに従って説明する。図９の処理は、図６に示すＳ１００７で行われる処理の１つである。図９の処理は、ＣＰＵ１１１が、ＲＯＭ１１３に記憶されたプログラムをＲＡＭ１１２に読み出して実行することによって実現される。
【０１１５】
Ｓ１４０１で、ＣＰＵ１１１は、スタートキー７０７が押されたか否かを判定する。スタートキー７０７が押されるまでＳ１４０１に示す処理を繰り返し、スタートキー７０７が押されたと判定した場合に、Ｓ１４０２に処理を進める。
【０１１６】
Ｓ１４０２で、ＣＰＵ１１１は、原稿サイズがＲＡＭ１１２に記憶されているか否かを判定する。原稿サイズが記憶されていると判定した場合、ＣＰＵ１１１は、Ｓ１４０３に処理を進め、原稿サイズが記憶されていないと判定した場合、ＣＰＵ１１１は、Ｓ１４０４に処理を進める。
【０１１７】
Ｓ１４０４で、ＣＰＵ１１１は、操作部１５０に原稿のサイズを受け付けるための画面を表示し、ユーザから原稿のサイズを受け付ける。図１１に示す画面は、原稿のサイズを受け付けるための画面の表示例である。ユーザは、原稿サイズ指定ボタン７４２の中から１つの原稿サイズ指定ボタンを押す。原稿サイズ指定ボタンが押されると、押された原稿サイズ指定ボタンが選択された状態になる。押された原稿サイズ指定ボタンが選択された状態でＯＫボタン７４３が押されると、ＣＰＵ１１１は、選択された状態の原稿サイズ指定ボタンで示される原稿のサイズをＲＡＭ１１２に記憶してＳ１４０３に処理を進める。
【０１１８】
Ｓ１４０３で、ＣＰＵ１１１は、ＲＡＭ１１２に記憶されている原稿のサイズに基づいてコピージョブを実行する。具体的には、リーダ装置２００による読み取り領域を、ＲＡＭ１１２に記憶された原稿のサイズ分の領域に設定する。または、印刷用のシートのサイズがユーザによって指定され、印刷用のシートのサイズに合わせて変倍するよう指定された場合に、ＣＰＵ１１１は、原稿のサイズと印刷用のシートのサイズに従って画像の変倍率を決定する。
【０１１９】
以上に説明したように、リーダ装置２００の起動後、原稿台に載置された原稿のサイズを検知できていなくても、原稿カバーを開閉すれば、原稿のサイズを自動的に検知できる旨をユーザに通知する。そして、ユーザによって原稿カバーが開閉された場合に、原稿のサイズを自動的に検知し、検知した原稿のサイズに従ってコピージョブを実行することができる。そのため、原稿のサイズをユーザが入力するための手間を省くことができる。
【０１２０】
（第２の実施形態）
第１の実施形態では、原稿カバーが閉められた後に、原稿のサイズを検知するために原稿カバーの開閉を促す例を説明した。
【０１２１】
第２の実施形態では、リーダ装置２００からの復帰要因でリーダ装置２００を起動する場合、操作部１５０に、原稿カバーを閉めないよう通知する制御について説明する。これは、原稿カバーが閉められる前に、リーダ装置２００の起動を完了させるための時間を確保するための制御である。原稿カバーが閉められる前に、リーダ装置２００の起動を完了することによって、原稿カバーが閉められる際に、リーダ装置２００によって自動的に原稿のサイズを検知することができるからである。
【０１２２】
画像形成装置４００の構成は、第１の実施形態で説明したものと同様であるため、詳しい説明を省略する。ここでは、第１の実施形態との差分について説明する。
【０１２３】
第２の実施形態では、第１の実施形態の図７に示すフローチャートの代わりに図１２に示すフローチャートの処理が実行される。図１２の処理は、電源制御部１２２の制御、及び、ＣＰＵ１１１が、ＲＯＭ１１３に記憶されたプログラムをＲＡＭ１１２に読み出して実行することによって実現される。図１２に示すステップのうち、図７に示すステップと同様の処理には同様の番号を付与している。
【０１２４】
第２の実施形態では、Ｓ１２０４で、リーダ装置２００に電力供給を開始した後、Ｓ１２０５で、ＣＰＵ１１１は、リーダ装置２００が起動するまで原稿カバーを閉じないようユーザに通知する。具体的には、図１３に示す画面を操作部１５０に表示する。図１３に示す画面には、メッセージ７８０として、リーダ装置２００の起動が完了する前に原稿カバーを閉めると原稿のサイズが検知できないことをユーザに伝えるためのメッセージが表示される。また、リーダの装置２００の起動に５秒かかることを通知するためのメッセージ、及び、リーダ装置２００の起動が完了するまで、原稿カバーを閉めないよう促すためのメッセージが表示される。この５秒という時間について、ここでは固定の値である場合を説明した。しかしながら、本発明はこれに限らず、リーダ装置２００の起動が完了するまでの時間が、画像形成装置４００の状態によって動的に変わる場合には、ＣＰＵ１１１が、リーダ装置２００の起動が完了するまでの時間を予測して表示してもよい。
【０１２５】
そして、ＣＰＵ１１１は、Ｓ１２０５に処理を進める。
【０１２６】
以上のように制御することによって、リーダ装置２００からの復帰要因でリーダ装置２００を起動する場合、操作部１５０に、原稿カバーを閉めないよう通知することができる。
【０１２７】
（第３の実施形態）
第１の実施形態では、原稿カバーが閉められた後、ユーザがスタートキー７０７を押さずとも、原稿のサイズを検知するために原稿カバーの開閉を促す例を説明した。
【０１２８】
第３の実施形態では、第１の実施形態の図９に示すフローチャートの代わりに図１４に示すフローチャートの処理が実行される。第３の実施形態では、その後、ユーザが原稿カバーの開閉を行うことなく、スタートキー７０７を押した場合に、原稿のサイズを検知するために原稿カバーの開閉もしくは原稿サイズの入力を促すためのメッセージ付きの原稿サイズ指定画面を表示する例を説明する。
【０１２９】
画像形成装置４００の構成は、第１の実施形態で説明したものと同様であるため、詳しい説明を省略する。ここでは、第１の実施形態との差分について説明する。
【０１３０】
第３の実施形態では、第１の実施形態の図９に示すフローチャートの代わりに図１４に示すフローチャートの処理が実行される。
【０１３１】
図１４の処理は、図６に示すＳ１００７で行われる処理の１つである。
【０１３２】
特に、リーダ装置２００の起動の完了後、原稿カバーの開閉もされず、操作部１５０から原稿のサイズの入力もされずに、スタートキー７０７が押された場合に有効である。
【０１３３】
図１４の処理は、ＣＰＵ１１１が、ＲＯＭ１１３に記憶されたプログラムをＲＡＭ１１２に読み出して実行することによって実現される。図１４に示すステップのうち、図９に示すステップと同様の処理には同様の番号を付与している。
【０１３４】
Ｓ１４０２で、原稿のサイズがＲＡＭ１１２に記憶されていない場合に、Ｓ３００１に処理を進める。
【０１３５】
Ｓ３００１で、ＣＰＵ１１１は、図１５に示す画面を操作部１５０に表示する。図１５に示す画面は、原稿のサイズを受け付けるための画面である。原稿のサイズを受け付けるための画面の表示例である。また、この画面には、原稿カバーを開閉することによって原稿のサイズを自動的に検知することができる旨のメッセージ７４１が表示される。
【０１３６】
そして、Ｓ３００２で、ＣＰＵ１１１は、原稿カバーが開けられたか否かを開閉センサ４０１からの信号に基づいて判定する。原稿カバーが開けられたと判断した場合、Ｓ１３１１に処理を進める。一方、原稿カバーが開けられずに、図１５に示す画面で、原稿のサイズが操作部１５０から入力された場合には、Ｓ３００２からＳ１４０４に処理を進める。ＣＰＵ１１１は、操作部１５０に原稿のサイズを受け付けるための画面を表示し、ユーザから原稿のサイズを受け付ける。ユーザは、原稿サイズ指定ボタン７４２の中から１つの原稿サイズ指定ボタンを押す。原稿サイズ指定ボタンが押されると、押された原稿サイズ指定ボタンが選択された状態になる。押された原稿サイズ指定ボタンが選択された状態でＯＫボタン７４３が押されると、ＣＰＵ１１１は、選択された状態の原稿サイズ指定ボタンで示される原稿のサイズをＲＡＭ１１２に記憶してＳ１４０３に処理を進める。
【０１３７】
Ｓ３００２からＳ３００３に処理を進めた後、ＣＰＵ１１１は、上述したように、Ｓ３００３〜Ｓ３００５の処理を実行することによって、原稿のサイズを検知して、ＲＡＭ１１２に記憶する。具体的に、Ｓ１３１１で、ＣＰＵ１１１は、原稿カバーの開き角度が所定の角度（３０°）になったか否かを判定する。原稿カバーの開き角度が所定の角度になるまで、Ｓ３００３の処理が繰り返される。原稿カバーの開き角度が所定の角度になったと判定した場合に、ＣＰＵ１１１は、Ｓ３００３からＳ３００４に処理を進める。Ｓ３００４で、ＣＰＵ１１１は、リーダ装置２００に対して、原稿に光を照射するよう指示する。リーダ装置２００によって原稿に光が照射された後、その反射光がＣＣＤ２１８によって読み取られる。Ｓ３００５で、ＣＰＵ１１は、読み取った画像から原稿のエッジを検出し、原稿のサイズを検知する。検知された原稿のサイズはＣＰＵ１１１によってＲＡＭ１１２に記憶される。
【０１３８】
第３の実施形態によれば、原稿のサイズがＲＡＭ１１２に記憶される前に、スタートキー７０７の押下によってコピージョブの実行が指示された場合に、ユーザに、原稿カバーの開閉によって原稿のサイズが自動的に検知できることを通知することができる。
【０１３９】
（その他の実施形態）
以上、本発明を具体的な実施例に則して説明したが、本発明は上述の実施例に限定されるものではない。
【０１４０】
上述した実施形態では、原稿に照射した光の反射光をＣＣＤ２１８で読み取って、原稿のサイズを検知する例を説明したが、本発明はこれに限られない。リーダ部２００が、原稿台に置かれた原稿のサイズを、サイズ検知センサによって検知するようにしてもよい。
【０１４１】
上述した実施形態では、図１０のメッセージ７３０、図１３のメッセージ７８０、図１５のメッセージ７４１を操作部１５０への画面の表示によって行っていた。本発明はこれに限られず、ホストコンピュータ６１０が備える表示部に表示するためのコマンドをホストコンピュータ６１０に送信し、ホストコンピュータ６１０の表示部に表示させてもよい。また、予め各メッセージの内容を音声データとしてＨＤＤ１６０に記憶しておき、ＣＰＵ１１１は、各メッセージを表示する際に、そのメッセージに対応する音声を不図示のスピーカによって出力してもよい。
【０１４２】
本実施形態におけるフローチャートに示す機能は、ネットワーク又は各種記憶媒体を介して取得したソフトウエア（プログラム）をコンピュータパソコン等の処理装置（ＣＰＵ、プロセッサ）にて実行することでも実現できる。
【符号の説明】
【０１４３】
１１１  ＣＰＵ
１１２  ＲＡＭ
１２２  電源制御部
【図１】
2015015535.tif 000003
【図２】
2015015535.tif 000004
【図３】
2015015535.tif 000005
【図４】
2015015535.tif 000006
【図５】
2015015535.tif 000007
【図６】
2015015535.tif 000008
【図７】
2015015535.tif 000009
【図８】
2015015535.tif 000010
【図９】
2015015535.tif 000011
【図１０】
2015015535.tif 000012
【図１１】
2015015535.tif 000013
【図１２】
2015015535.tif 000014
【図１３】
2015015535.tif 000015
【図１４】
2015015535.tif 000016
【図１５】
2015015535.tif 000017